(57)【要約】【課題】  一体感のあるデザインをもって２台を並設して使用することのできる「電子機器」を提供すること。【解決手段】  電子機器１の筐体２上面に形成された凹部２ａの内底面に切替えスイッチ９を配設すると共に、互いに発光色が異なる第１の発光ダイオード７ａと２つの第２の発光ダイオード７ｂ，７ｃを１組として複数組の光源７を配設し、切替えスイッチ９によって各組の光源７が有する２つの第２の発光ダイオード７ｂ，７ｃの中から一方のみを使用可能に選択する。また、化粧パネル５を凹部２ａに対して正転位置と反転位置とに着脱可能となし、この化粧パネル５に機能表示部１２ａと動作表示部１２ｂを１組として複数組の表示部１２を形成する。そして、化粧パネル５の装着位置に応じて第１の発光ダイオード７ａを機能表示部１２ａに対向させると共に、切替えスイッチ９によって選択されたいずれか一方の第２の発光ダイオード７ｂ，７ｃを動作表示部１２ｂに対向させた。【選択図】  図８
2005241970.tif 000002
【特許請求の範囲】
【請求項１】
箱形形状の筐体と、この筐体内に直線的に配列されて設けられ、第１の発光体と該第１の発光体を挟んで配設される一対の第２の発光体を１組とする複数組の光源と、前記一対の第２の発光体のいずれかを選択して照光可能とする切替えスイッチと、機能表示部と動作表示部を１組とする複数組の表示部を有する化粧パネルとを備え、
前記化粧パネルを前記筐体の上面に対して１８０度姿勢の異なる正転位置と反転位置とに着脱可能となし、該化粧パネルが正転位置または反転位置に装着されたとき、前記機能表示部が前記第１の発光体により常時照光されると共に、前記動作表示部が前記切替えスイッチより選択されたいずれか一方の前記第２の発光体により照光されるように構成したことを特徴とする電子機器。
【請求項２】
請求項１の記載において、前記第１の発光体と前記一対の第２の発光体とは互いに異なる色で発光することを特徴とする電子機器。
【請求項３】
請求項１の記載において、前記切替えスイッチを前記筐体に装着した前記化粧パネルによって覆うように構成したことを特徴とする電子機器。
【請求項４】
請求項３の記載において、前記化粧パネルの裏面に突部を設け、この化粧パネルが正転位置と反転位置のいずれか一方に装着されたときだけ、前記突部の押圧によって前記切替えスイッチを動作させるように構成したことを特徴とする電子機器。
【請求項５】
請求項１の記載において、前記化粧パネルを前記筐体の上面に形成された凹部の内底面に止めネジを用いて取付可能となし、この止めネジに前記化粧パネルの裏面に当接する脱落防止用のワッシャを装着したことを特徴とする電子機器。
【発明の詳細な説明】
【技術分野】
【０００１】
本発明は、箱形形状の筐体の上面に表示用の化粧パネルが取り付けられた電子機器に係り、特に、化粧パネルが筐体の上面に対して１８０度姿勢の異なる正転位置と反転位置とに着脱可能に取り付けられる電子機器に関するものである。
【背景技術】
【０００２】
従来より、箱形形状の筐体の内部に液晶表示装置や発光ダイオード等の表示素子を配設し、この筐体の上面に取り付けた化粧パネルを通して表示素子の表示内容を目視するようにした電子機器が知られている（例えば、特許文献１参照）。
【０００３】
図１１はかかる電子機器の一例である従来の車載用オーディオプロセッサを示す外観図であり、この電子機器１００はヒートシンクとして機能する箱形形状の筐体１０１を備えている。筐体１０１の外側面四隅には取付脚１０２が取り付けられており、電子機器１００は各取付脚１０２を利用して所定の設置位置、例えば自動車のトランクルームの内底面に固定されるようになっている。筐体１０１の一側面には複数の入出力用コネクタ部１０３等が配設されており、これと反対側の筐体１０１の他側面は平坦状に形成されている。また、筐体１０１の内部には図示せぬ制御装置等が収納されており、筐体１０１の上面には長方形状の化粧パネル１０４が接着剤や両面接着テープ等を用いて固定されている。この化粧パネル１０４には光透過性プラスチックからなる表示板１０５が一体化されており、この表示板１０５には機能表示部（便宜上、アルファベットＡ，Ｂ，Ｃ，Ｄで示す）と動作表示部を１組とする複数組の照光部１０５ａ〜１０５ｄが形成されている。
【０００４】
図示省略されているが、筐体１０１の内部には発光色の異なる２種類（例えば青色と赤色）の発光ダイオードを１組とする複数組の光源が配設されており、これら光源は化粧パネル１０４の長手方向に沿って直線上に配列されてしている。そして、化粧パネル１０４の表示板１０５に形成された各照光部１０５ａ〜１０５ｄのうち、機能表示部は対応する光源の一方の発光ダイオード、例えば青色に発光する発光ダイオードの真上に位置し、この発光ダイオードの青色光によって常時照光されるようになっている。また、各照光部１０５ａ〜１０５ｄの動作表示部は対応する光源の他方の発光ダイオードの真上に位置し、この発光ダイオードの赤色光によって機能表示部の機能が動作している時だけ照光されるようになっており、各動作表示部は機能表示部のインジケータとして使用されている。
【特許文献１】特開平１１−２８９１６９号公報（第３−４頁、図１）
【発明の開示】
【発明が解決しようとする課題】
【０００５】
ところで、この種の電子機器（車載用オーディオプロセッサ）１００は単体で使用されることが多いが、大出力化や多チャンネル化等の処理能力の向上を図るために２台を並設して使用することもある。この場合、図１２に示すように、２台の電子機器１００の筐体１０１同士をそれぞれの平坦面側で突き合わせて連結すれば、２台の電子機器１００の入出力用コネクタ部１０３等がいずれも外側を向くため、トランクルーム等の限られたスペース内に２台の電子機器１００をコンパクトにまとめて設置することができる。しかしながら、図１２に示すように、左右の電子機器１００が１８０度反転した状態で連結されることに伴い、左右の筐体１０１の上面に固定された両化粧パネル１０４も１８０度反転した状態となるため、図示左側の化粧パネル１０４の表示板１０５に形成された各照光部１０５ａ〜１０５ｄは上側を向くが、図示右側の化粧パネル１０４の表示板１０５に形成された各照光部１０５ａ〜１０５ｄは下側を向いてしまい、その結果、一体感のないデザインとなって商品価値が低下するという問題があった。
【０００６】
本発明は、このような従来技術の実情に鑑みてなされたもので、その目的は、一体感のあるデザインをもって２台を並設して使用することのできる電子機器を提供することにある。
【課題を解決するための手段】
【０００７】
本発明は、筐体内に第１の発光体と該第１の発光体を挟んで配設される一対の第２の発光体を１組とする複数組の光源を直線的に配列すると共に、これら一対の第２の発光体のいずれかを選択して照光可能とする切替えスイッチを設け、機能表示部と動作表示部とを１組とする複数組の表示部を有する化粧パネルを、筐体の上面に対して１８０度姿勢の異なる正転位置と反転位置のいずれか一方に装着したとき、その装着位置の変更に伴って表示部と光源との相対位置が変わっても、切替えスイッチにより選択されたいずれか一方の第２の発光体で所定位置の動作表示部が確実に照光されるようにした。
【発明の効果】
【０００８】
本発明の電子機器は、筐体内に第１の発光体と該第１の発光体を挟んで配設される一対の第２の発光体を１組とする複数組の光源を直線的に配列すると共に、これら一対の第２の発光体のいずれかを選択して照光可能とする切替えスイッチを設け、かつ、化粧パネルに機能表示部と動作表示部とを１組とする複数組の表示部を形成し、この化粧パネルを筐体の上面に対して１８０度姿勢の異なる正転位置と反転位置とに着脱可能となしたので、化粧パネルの装着位置の変更に伴って表示部と光源との相対位置が変わっても、切替えスイッチにより選択されたいずれか一方の第２の発光体で所定位置の動作表示部を確実に照光することができ、それゆえ、２台の電子機器を並設して使用する場合に、両電子機器の化粧パネルを同一方向に向けて一体感のあるデザインにすることができる。
【発明を実施するための最良の形態】
【０００９】
本発明の電子機器は、箱形形状の筐体と、この筐体内に直線的に配列されて設けられ、第１の発光体と該第１の発光体を挟んで配設される一対の第２の発光体を１組とする複数組の光源と、前記一対の第２の発光体のいずれかを選択して照光可能とする切替えスイッチと、機能表示部と動作表示部を１組とする複数組の表示部を有する化粧パネルとを備え、前記化粧パネルを前記筐体の上面に対して１８０度姿勢の異なる正転位置と反転位置とに着脱可能となし、該化粧パネルが正転位置または反転位置に装着されたとき、前記機能表示部が前記第１の発光体により常時照光されると共に、前記動作表示部が前記切替えスイッチより選択されたいずれか一方の前記第２の発光体により照光されるように構成した。
【００１０】
このように構成された電子機器によれば、化粧パネルが筐体の上面に対して正転位置と反転位置のいずれか一方の装着位置にあるとき、この化粧パネルに形成された各組の表示部における動作表示部を、切替えスイッチによって選択された各組の光源におけるいずれか一方の第２の発光体に対向させることができるため、２台の電子機器を並設して使用する場合に、両電子機器の化粧パネルを同一方向に向けて一体感のあるデザインにすることができる。
【００１１】
上記の構成において、第１の発光体と一対の第２の発光体は互いに異なる色で発光するものを使用することが好ましく、例えば第１の発光体として所定の色で発光する発光ダイオード（ＬＥＤ）を使用した場合、第２の発光体として別の色で発光する発光ダイオードを使用すれば良い。
【００１２】
また、上記の構成において、切替えスイッチはユーザが操作できるものであれば筐体のいずれの位置に配置されていても良いが、この切替えスイッチを筐体に装着した化粧パネルによって覆うように構成すると、化粧パネルを筐体から外したときだけ切替えスイッチが露出するため、簡単な構成で切替えスイッチの誤動作を防止できて好ましい。この場合において、化粧パネルの裏面に突部を設け、この化粧パネルが正転位置と反転位置のいずれか一方に装着されたときだけ、突部の押圧によって切替えスイッチを動作させるように構成すると、化粧パネルの装着に伴って切替えスイッチを自動的に動作することができる。
【００１３】
また、上記の構成において、化粧パネルを筐体の上面に形成された凹部の内底面に止めネジを用いて取付可能となし、この止めネジに化粧パネルの裏面に当接する脱落防止用のワッシャを装着すると、止めネジを緩めると化粧パネルが凹部の内底面から浮き上がるため、化粧パネルを筐体の上面に対し簡単に着脱することができて好ましい。
【実施例】
【００１４】
実施例について図面を参照して説明すると、図１は本発明の実施例に係る電子機器の外観図、図２は該電子機器に備えられる筐体と化粧パネルの分解斜視図、図３は該筐体の平面図、図４は該化粧パネルの説明図、図５は該化粧パネルの取り付け状態を示す要部断面図、図６は該化粧パネルの取り外し状態を示す要部断面図、図７は該電子機器を２台並設した連結状態の外観図、図８は該電子機器を２台並設した連結状態の平面図である。
【００１５】
本実施例に係る電子機器１は車載用オーディオプロセッサとして使用されるものであり、図１に示すように、この電子機器１は箱形形状の筐体２の外側面四隅に取り付けられた各取付脚３を利用して所定の設置位置、例えば自動車のトランクルームの内底面に固定されるようになっている。筐体２はヒートシンクとして機能するもので、アルミニウム等の放熱性に優れた金属材料からなる。この筐体２の長手方向に沿う一側面には複数の入出力用コネクタ部４等が配設されており、これと反対側の他側面は平坦状に形成されている。また、筐体２の上面には平面視長方形状の凹部２ａが形成されており、この凹部２ａ内に化粧パネル５が止めネジ６を用いて固定されるようになっている。
【００１６】
筐体２の内部には図示せぬ制御装置等が収納されると共に、３つの発光ダイオードを１組とする複数組（本実施例では４組）の光源７が配設されており、図２と図３に示すように、これら光源７は凹部２ａの内底面に露出している。各組の光源７は、リニアＰＣＭやサラウンド等の各種機能を表示するための第１の発光ダイオード（発光体）７ａと、これら機能の動作状態を表示する一対の第２の発光ダイオード（発光体）７ｂ，７ｃとを有しており、第１の発光ダイオード７ａと第２の発光ダイオード７ｂ，７ｃとは互いに異なる色で発光するようになっている。本実施例の場合、第１の発光ダイオード７ａとして発光色が青色の青色発光ダイオードを用い、第２の発光ダイオード７ｂ，７ｃとして発光色が赤色の赤色発光ダイオードを用いているが、後述するように、各組光源７の対をなす２つの第２の発光ダイオード７ｂ，７ｃはいずれか一方のみが使用されるようになっている。なお、２つの第２の発光ダイオード７ｂ，７ｃは第１の発光ダイオード７ａを挟んで上下に位置しており、各組光源７の第１および第２の発光ダイオード７ａ，７ｂ，７ｃは凹部２ａの中心を通って長手方向へ延びる直線Ｐ（図３参照）上に等間隔を保って配列されている。また、凹部２ａ内の長手方向に沿う両端部には一対のネジ孔８ａ，８ｂが刻設されており、これらネジ孔８ａ，８ｂも直線Ｐ上に配列されている。
【００１７】
また、筐体２の凹部２ａ内の所定位置、例えば２組の光源７間の空きスペースに切替えスイッチ９が配設されており、本実施例の場合、２位置間をスライド操作可能なアクチュエータを備えたスライドスイッチが切替えスイッチ９として用いられている。この切替えスイッチ９の切替信号は前述した制御装置に入力されるようになっており、制御装置は切替えスイッチ９の切替信号に基づいて各組光源７に対応する機能を上下方向で逆転すると共に、各組光源７が有する２つの第２の発光ダイオード７ｂ，７ｃの中から一方のみを使用可能とする。すなわち、切替えスイッチ９のアクチュエータが２位置のいずれか一方側へスライド操作されている場合、各光源７は第１の発光ダイオード７ａと一方の第２の発光ダイオード７ｂのみが照光可能となり、切替えスイッチ９のアクチュエータが２位置のいずれか他方側へスライド操作されている場合、各光源７は第１の発光ダイオード７ａと他方の第２の発光ダイオード７ｃのみが照光可能となる。
【００１８】
筐体２の凹部２ａ内には前述したように化粧パネル５が止めネジ６を用いて固定されており、この化粧パネル５によって各組の光源７と切替えスイッチ９は覆われている。この場合、止めネジ６を化粧パネル５の一端部側に形成した貫通孔５ａを挿通していずれか一方のネジ孔８ａ，８ｂに螺着することにより、化粧パネル５は筐体２の凹部２ａに対して１８０度姿勢の異なる正転位置と反転位置のいずれかに固定されるようになっている。なお、図５と図６に示すように、止めネジ６の軸部にはＥリング等からなるワッシャ１０が装着されており、このワッシャ１０は化粧パネル５の裏面に当接して止めネジ６が貫通孔５ａから脱落するのを防止している。また、化粧パネル５には光透過性プラスチックからなる表示板１１が一体化されており、図４に示すように、この表示板１１には機能表示部１２ａと動作表示部１２ｂを１組とする複数組の表示部１２が形成されている。本実施例の場合、筐体２の凹部２ａ内に配列された光源７の組数に対応して４組の表示部１２が形成されており、各組表示部１２以外の部分では、表示板１１の裏面側に遮光性の印刷が施されている。各組表示部１２の機能表示部１２ａには前述したリニアＰＣＭやサラウンド等の各種機能を表す文字や図形等の印刷層が設けられており、これら機能表示部１２ａは対応する光源７の第１の発光ダイオード７ａの青色光によって照光される。また、各組表示部１２の動作表示部１２ｂには例えば化粧パネル５の裏面に□形の透光性の印刷層が形成され、これら動作表示部１２ｂは対応する光源７のいずれか一方の第２の発光ダイオード７ｂ，７ｃの赤色光によって照光されるようになっている。各組の表示部１２と止めネジ６は同一直線上に配列されており、便宜上、止めネジ６に対して遠い方の表示部１２から順に符号１２Ａ、１２Ｂ、１２Ｃ、１２Ｄを付すと、化粧パネル５の向きを図４（ａ）に示す正転位置と図４（ｂ）に示す反転位置とで１８０度逆転させた場合、各表示部１２Ａ〜１２Ｄの機能表示部１２ａの位置は変化しないが、各表示部１２Ａ〜１２Ｄの動作表示部１２ｂの位置は機能表示部１２ａに対して上下方向に変化する。
【００１９】
このように構成された電子機器１を単体で使用する場合、化粧パネル５は図３に示された筐体２の凹部２ａに対して図４（ａ）に示す正転位置に装着されており、止めネジ６は図５に示すように一方のネジ孔８ｂに螺着されている。この場合、化粧パネル５に形成された各表示部１２Ａ〜１２Ｄの機能表示部１２ａは凹部２ａの内底面に配列された各光源７の第１の発光ダイオード７ａの真上に位置し、各表示部１２Ａ〜１２Ｄの動作表示部１２ｂは各光源７の第２の発光ダイオード７ｂの真上に位置している。また、切替えスイッチ９のアクチュエータは一方側へスライド操作されており、各組の光源７は第１の発光ダイオード７ａと一方の第２の発光ダイオード７ｂのみが照光可能となり、残りの第２の発光ダイオード７ｃは電流が供給されない不使用素子となっている。これにより、各表示部１２Ａ〜１２Ｄの機能表示部１２ａが第１の発光ダイオード７ａからの青色光によって常時照光されると共に、リニアＰＣＭやサラウンド等の各種機能の中で特定の機能が動作している時だけ、その機能に対応する動作表示部１２ｂが第２の発光ダイオード７ｂの赤色光によって照光される。
【００２０】
また、２台の電子機器１を左右に並設して使用する場合は、図７と図８に示すように、両筐体２の平坦面側に突出する取付脚３を取り外してそれぞれの平坦面同士を突き合わせ、この状態で両筐体２をブラケット１３等を用いて連結・一体化すれば良く、このようにすると２台の電子機器１の入出力用コネクタ部４等がいずれも外側を向くため、トランクルーム等の限られたスペース内に２台の電子機器１をコンパクトにまとめて設置することができる。その際、左右の筐体２は互いに１８０度反転した姿勢で連結されるため、それに伴って一方（図示右側）の化粧パネル５の装着状態を反転すれば、両筐体２の上面に固定された２つの化粧パネル５が同一方向を向くことになり、左右に並設された２台の電子機器１が恰も１つの電子機器であるような一体感のあるデザインとなる。
【００２１】
このように化粧パネル５の装着状態を反転する場合、まず、図示せぬ治具（ドライバー）を用いてネジ孔８ｂに螺合された止めネジ６を緩め、止めネジ６による化粧パネル５の固定を解除した状態で、正転位置に装着されていた化粧パネル５を筐体の凹部２ａから取り外す。このとき、化粧パネル５と止めネジ６は脱落防止用のワッシャ１０によって一体化されているため、図６に示すように、止めネジ６を緩めていくと化粧パネル５が凹部２ａの内底面から浮き上がり、化粧パネル５を筐体２の凹部２ａから簡単に取り外すことができる。かかる化粧パネル５の取り外しにより切替えスイッチ９が凹部２ａの内底面に露出し、この切替えスイッチ９のアクチュエータを他方側へスライド操作すると、この切替えスイッチ９の切替え信号に基づいて筐体２に内蔵された図示せぬ制御装置が、各組光源７に対応する機能を上下方向で逆転すると共に、各組光源７が有する２つの第２の発光ダイオード７ｂ，７ｃ中から第２の発光ダイオード７ｃを使用可能とする。すなわち、図３に示された各組の光源７に対応する機能を仮に上から順に７Ａ、７Ｂ、７Ｃ、７Ｄとすると、切替えスイッチ９の接点を切替え動作することにより、各組の光源７に対応する機能を上から順に７Ｄ、７Ｃ、７Ｂ、７Ａと逆転すると共に、各組の光源７は第１の発光ダイオード７ａとその下方の第２の発光ダイオード７ｃのみが照光可能となり、残りの第２の発光ダイオード７ｂは電流が供給されない不使用素子となる。しかる後、化粧パネル５の向きを１８０度反転して筐体２に再装着すると、つまり、化粧パネル５を図３に示された凹部２ａの内底面上に図４（ｂ）に示す反転状態で載置して止めネジ６を他方のネジ孔８ａに螺着すると、化粧パネル５に形成された各表示部１２Ａ〜１２Ｄの機能表示部１２ａが各光源７の第１の発光ダイオード７ａの真上に位置し、各表示部１２Ａ〜１２Ｄの動作表示部１２ｂが各光源７の第２の発光ダイオード７ｃの真上に位置する。なお、この時点で各組光源７に対応する機能も上下方向で逆転しているため、化粧パネル５の反転後も各光源７と各表示部１２Ａ〜１２Ｄとの相対関係は全く変化しないことになる。
【００２２】
したがって、このように一方の電子機器１に備えられる化粧パネル５を反転した状態で２台の電子機器１を左右に並設すると、図８に示すように、２台の電子機器１は両筐体２の突き合わせ面である境界線Ｑに関して左右対称形となり、左右の化粧パネル５には上下方向に近接した動作表示部１２ｂと機能表示部１２ａを１組とする表示部１２Ａ〜１２Ｄが同じ位置に形成されることになる。この場合、図示左側の化粧パネル５について見ると、各表示部１２Ａ〜１２Ｄの機能表示部１２ａがその真下に位置する第１の発光ダイオード７ａからの青色光によって常時照光されると共に、各表示部１２Ａ〜１２Ｄの動作表示部１２ｂがその真下に位置する第２の発光ダイオード７ｂの赤色光によって照光される。また、図示右側の化粧パネル５について見ると、各表示部１２Ａ〜１２Ｄの機能表示部１２ａがその真下に位置する第１の発光ダイオード７ａからの青色光によって常時照光されると共に、各表示部１２Ａ〜１２Ｄの動作表示部１２ｂがその真下に位置する第２の発光ダイオード７ｃの赤色光によって照光される。したがって、各表示部１２Ａ〜１２Ｄの機能表示部１２ａが両化粧パネル５の左右同じ位置で常時青色に照光され、特定の機能が動作している時だけその機能に対応する動作表示部１２ｂが両化粧パネル５の左右同じ位置で赤色に照光されることになり、一体感のあるデザインを実現することができる。
【００２３】
なお、電子機器１が単体で使用される場合でも、取付個所の制約によりその向きが制限されることがあるが、このときも化粧パネル５を反転させることにより、機能表示部１２ａの文字等を正しい方向から視認できるようになる。
【００２４】
図９は本発明の他の実施例に係る電子機器の断面図、図１０は該電子機器の要部断面図であり、図１〜図８に対応する部分には同一符号を付してある。
【００２５】
本実施例に係る電子機器が前述した実施例と相違する点は、筐体２の凹部２ａ内に配設された切替えスイッチとしてプッシュスイッチ１４を用いると共に、化粧パネル５の裏面にプッシュスイッチ１４のアクチュエータを操作可能な突部１５を設けたことにあり、それ以外の構成は基本的に同じである。プッシュスイッチ１４は化粧パネル５の長手方向または短手方向の中心から外れた位置に配設されており、化粧パネル５が凹部２ａに対して正転位置と反転位置のいずれか一方、例えば正転位置に装着されたとき、プッシュスイッチ１４は化粧パネル５の平坦な裏面に対向して動作されず、化粧パネル５が反転位置に装着されたときだけ、プッシュスイッチ１４のアクチュエータが突部１５に押圧されるようになっている。このように構成すると、２台の電子機器１を並設して使用する場合、正転位置にある化粧パネル５を筐体２から取り外して反転位置に再装着することに伴って自動的にプッシュスイッチ１４の接点切替え動作も行われるため、ユーザが切替えスイッチ（プッシュスイッチ１４）の接点切替え動作を忘れて化粧パネル５を再装着してしまうことを未然に防止できる。
【図面の簡単な説明】
【００２６】
【図１】本発明の実施例に係る電子機器の外観図である。
【図２】該電子機器に備えられる筐体と化粧パネルの分解斜視図である。
【図３】該筐体の平面図である。
【図４】該化粧パネルの説明図である。
【図５】該化粧パネルの取り付け状態を示す要部断面図である。
【図６】該化粧パネルの取り外し状態を示す要部断面図である。
【図７】該電子機器を２台並設した連結状態の外観図である。
【図８】該電子機器を２台並設した連結状態の平面図である。
【図９】本発明の他の実施例に係る電子機器の断面図である。
【図１０】該電子機器の要部断面図である。
【図１１】従来例に係る電子機器の外観図である。
【図１２】該電子機器を２台並設した連結状態の平面図である。
【符号の説明】
【００２７】
１  電子機器
２  筐体
２ａ  凹部
３  取付脚
４  コネクタ部
５  化粧パネル
５ａ  貫通孔
６  止めネジ６
７  光源
７ａ  第１の発光ダイオード
７ｂ，７ｃ  第２の発光ダイオード
８ａ，８ｂ  ネジ孔
９  切替えスイッチ
１０  ワッシャ
１１  表示板
１２  表示部
１２ａ  機能表示部
１２ｂ  動作表示部
１４  プッシュスイッチ（切替えスイッチ）
１５  突部
【図１】
2005241970.tif 000003
【図２】
2005241970.tif 000004
【図３】
2005241970.tif 000005
【図４】
2005241970.tif 000006
【図５】
2005241970.tif 000007
【図６】
2005241970.tif 000008
【図７】
2005241970.tif 000009
【図８】
2005241970.tif 000010
【図９】
2005241970.tif 000011
【図１０】
2005241970.tif 000012
【図１１】
2005241970.tif 000013
【図１２】
2005241970.tif 000014